(57)【要約】  本開示の一態様に係るユーザ端末は、スロット内の時間ユニットを示す複数の下り制御情報を受信する受信部と、前記複数の下り制御情報によりそれぞれスケジューリングされる複数の下り共有チャネルに対する複数の送達確認情報がマッピングされるコードブックと、前記複数の送達確認情報の送信に用いる上り制御チャネル用リソースと、の少なくとも一つを決定する制御部と、を具備する。
2020095457.tif 000002
【特許請求の範囲】
【請求項１】
スロット内の時間ユニットを示す複数の下り制御情報を受信する受信部と、
前記複数の下り制御情報によりそれぞれスケジューリングされる複数の下り共有チャネルに対する複数の送達確認情報がマッピングされるコードブックと、前記複数の送達確認情報の送信に用いる上り制御チャネル用リソースと、の少なくとも一つを決定する制御部と、
を具備することを特徴とするユーザ端末。
【請求項２】
前記制御部は、前記複数の下り制御情報が示す前記時間ユニットが同一である場合、前記複数の送達確認情報を同一のコードブックにマッピングすることを特徴とする請求項１に記載のユーザ端末。
【請求項３】
前記制御部は、前記複数の下り制御情報が示す前記時間ユニットが同一である場合、前記複数の下り制御情報のうちで直近の下り制御情報内の所定フィールド値が示す上り制御チャネル用リソースを、前記複数の送達確認情報の送信に用いることを特徴とする請求項１又は請求項２に記載のユーザ端末。
【請求項４】
前記制御部は、前記複数の下り制御情報が示す前記時間ユニットが同一であり、かつ、前記複数の下り制御情報内の所定フィールド値が同一である場合、前記複数の送達確認情報を同一のコードブックにマッピングすることを特徴とする請求項１に記載のユーザ端末。
【請求項５】
前記制御部は、前記複数の下り制御情報が示す前記時間ユニットが同一であり、かつ、前記複数の下り制御情報内の所定フィールド値が同一である場合、該所定フィールド値が示す上り制御チャネル用リソースを、前記複数の送達確認情報の送信に用いることを特徴とする請求項１又は請求項４に記載のユーザ端末。
【請求項６】
前記制御部は、前記上り制御用チャネルリソースは、前記スロット内の前記時間ユニットの境界を跨って設定されることを想定する、又は、想定しないことを特徴とする請求項１から請求項５のいずれかに記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステムでは、ユーザ端末（ＵＥ：User  Terminal）は、上り制御チャネル（例えば、ＰＵＣＣＨ：Physical  Uplink  Control  Channel）又は上り共有チャネル（例えば、ＰＵＳＣＨ：Physical  Uplink  Shared  Channel）を用いて、上り制御情報（ＵＣＩ：Uplink  Control  Information）を送信する。【０００５】
ＵＣＩは、下り共有チャネル（例えば、ＰＤＳＣＨ：Physical  Downlink  Shared  Channel）に対する送達確認情報（ＨＡＲＱ−ＡＣＫ：Hybrid  Automatic  Repeat  reQuest−ACKnowledge、ＡＣＫ／ＮＡＣＫ：ACKnowledge／Non-ACK、又は、Ａ／Ｎ等ともいう）、スケジューリング要求（ＳＲ：Scheduling  Request）、チャネル状態情報（ＣＳＩ：Channel  State  Information）の少なくとも一つを含んでもよい。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
また、将来の無線通信システム（以下、ＮＲとも記す）では、下り共有チャネル（例えば、ＰＤＳＣＨ）に対する送達確認情報（例えば、ＨＡＲＱ−ＡＣＫ）のフィードバック（送信）タイミング及び当該送達確認情報のフィードバックに用いる上り制御チャネル（例えば、ＰＵＣＣＨ）用リソースを、当該下り共有チャネルのスケジューリングに用いられる下り制御情報（ＤＣＩ：Downlink  Control  Information）によりユーザ端末に指定することが検討されている。【０００８】
このため、異なる送信期間（例えば、スロット）にスケジューリングされる複数の下り共有チャネルにそれぞれ対応する複数の送達確認情報の送信タイミング又は複数のＰＵＣＣＨリソースが同一のスロットに指定されるケースも生じる。この場合、同一のスロット内では、単一のＰＵＣＣＨリソースを用いて当該複数の送達確認情報を送信することが検討されている。【０００９】
しかしながら、同一のスロット内において単一のＰＵＣＣＨリソースだけを用いて当該複数の送達確認情報を送信する場合、当該複数の送達確認情報のフィードバック（報告）を柔軟に制御できなかったり、当該複数の送達確認情報の一部のフィードバックに遅延が生じたりする恐れがある。この結果、高い信頼性及び低遅延が要求されるサービス（例えば、ＵＲＬＬＣ（Ultra  Reliable  and  Low  Latency  Communications）等）の要求条件を十分に満たすことができない恐れがある。【００１０】
そこで、本開示は、一以上の送達確認情報のフィードバックをより適切に制御可能なユーザ端末を提供することを目的の１つとする。
【課題を解決するための手段】
【００１１】
本開示の一態様に係るユーザ端末は、スロット内の時間ユニットを示す複数の下り制御情報を受信する受信部と、前記複数の下り制御情報によりそれぞれスケジューリングされる複数の下り共有チャネルに対する複数の送達確認情報がマッピングされるコードブックと、前記複数の送達確認情報の送信に用いる上り制御チャネル用リソースと、の少なくとも一つを決定する制御部と、を具備することを特徴とする。
【発明の効果】
【００１２】
本開示の一態様によれば、一以上の送達確認情報のフィードバックをより適切に制御できる。
【図面の簡単な説明】
【００１３】
【図１】ＨＡＲＱ−ＡＣＫフィードバックの一例を示す図である。
【図２】第１の態様に係るＨＡＲＱ−ＡＣＫフィードバックの一例を示す図である。
【図３】第１の態様に係るＤＡＩとＨＡＲＱ−ＡＣＫコードブックとの関係の一例を示す図である。
【図４】第２の態様に係るＨＡＲＱ−ＡＣＫフィードバックの一例を示す図である。
【図５】第２の態様に係るＤＡＩとＨＡＲＱ−ＡＣＫコードブックとの関係の一例を示す図である。
【図６】一実施形態に係る無線通信システムの概略構成の一例を示す図である。
【図７】一実施形態に係る基地局の構成の一例を示す図である。
【図８】一実施形態に係るユーザ端末の構成の一例を示す図である。
【図９】一実施形態に係る基地局及びユーザ端末のハードウェア構成の一例を示す図である。
【発明を実施するための形態】
【００１４】
ＮＲでは、ユーザ端末（ＵＥ：User  Equipment）は、下り共有チャネル（Physical  Downlink  Shared  Channel（ＰＤＳＣＨ）等ともいう）に対する送達確認情報（Hybrid  Automatic  Repeat  reQuest−ACKnowledge（ＨＡＲＱ−ＡＣＫ）、ACKnowledge／Non-ACK（ＡＣＫ／ＮＡＣＫ）、ＨＡＲＱ−ＡＣＫ情報又は、Ａ／Ｎ等ともいう）をフィードバック（報告（report）又は送信等ともいう）するメカニズムが検討されている。
【００１５】
例えば、ＮＲ  Ｒｅｌ．１５では、ＰＤＳＣＨのスケジューリングに用いられるＤＣＩ（例えば、ＤＣＩフォーマット１＿０又は１＿１）内の所定フィールドの値が、当該ＰＤＳＣＨに対するＨＡＲＱ−ＡＣＫのフィードバックタイミングを示す。ＵＥがスロット＃ｎで受信するＰＤＳＣＨに対するＨＡＲＱ−ＡＣＫをスロット＃ｎ＋ｋで送信する場合、当該所定フィールドの値は、ｋの値にマッピングされてもよい。当該所定フィールドは、例えば、ＰＤＳＣＨ−ＨＡＲＱフィードバックタイミング指示（PDSCH-to-HARQ_feedback  timing  indicator）フィールド等と呼ばれる。
【００１６】
また、ＮＲ  Ｒｅｌ．１５では、ＰＤＳＣＨのスケジューリングに用いられるＤＣＩ（例えば、ＤＣＩフォーマット１＿０又は１＿１）内の所定フィールドの値に基づいて、当該ＰＤＳＣＨに対するＨＡＲＱ−ＡＣＫのフィードバックに用いるＰＵＣＣＨリソースを決定する。当該所定フィールドは、例えば、ＰＵＣＣＨリソース指示（PUCCH  resource  indicator（ＰＲＩ））フィールド、ＡＣＫ／ＮＡＣＫリソース指示（ACK/NACK  resource  indicator（ＡＲＩ））フィールド等と呼ばれてもよい。当該所定フィールドの値は、ＰＲＩ、ＡＲＩ等と呼ばれてもよい。
【００１７】
当該所定フィールドの各値にマッピングされるＰＵＣＣＨリソースは、上位レイヤパラメータ（例えば、PUCCH-ResourceSet内のResourceList）によって予めＵＥに設定（confiugre）されてもよい。また、当該ＰＵＣＣＨリソースは、一以上のＰＵＣＣＨリソースを含むセット（ＰＵＣＣＨリソースセット）毎にＵＥに設定されてもよい。
【００１８】
また、ＮＲ  Ｒｅｌ．１５では、ＵＥは、単一のスロット内で、ＨＡＲＱ−ＡＣＫを有する一以上の上り制御チャネル（Physical  Uplink  Control  Channel（ＰＵＣＣＨ））を送信することを予期（expect）しないことが検討されている。
【００１９】
具体的には、ＮＲ  Ｒｅｌ．１５では、単一のスロットの一以上のＨＡＲＱ−ＡＣＫは、単一のＨＡＲＱ−ＡＣＫコードブックにマッピングされ、当該ＨＡＲＱ−ＡＣＫコードブックが、直近の（last）ＤＣＩによって指示されるＰＵＣＣＨリソースで送信されてもよい。
【００２０】
ここで、ＨＡＲＱ−ＡＣＫコードブックは、時間領域（例えば、スロット）、周波数領域（例えば、コンポーネントキャリア（Component  Carrier（ＣＣ）））、空間領域（例えば、レイヤ）、トランスポートブロック（Transport  Block（ＴＢ））、及び、ＴＢを構成するコードブロックのグループ（コードブロックグループ（Code  Block  Group（ＣＢＧ）））の少なくとも一つの単位でのＨＡＲＱ−ＡＣＫ用のビットを含んで構成されてもよい。なお、ＣＣは、セル、サービングセル（serving  cell）、キャリア等とも呼ばれる。また、当該ビットは、ＨＡＲＱ−ＡＣＫビット、ＨＡＲＱ−ＡＣＫ情報又はＨＡＲＱ−ＡＣＫ情報ビット等とも呼ばれる。
【００２１】
ＨＡＲＱ−ＡＣＫコードブックは、ＰＤＳＣＨ−ＨＡＲＱ−ＡＣＫコードブック（pdsch-HARQ-ACK-Codebook）、コードブック、ＨＡＲＱコードブック、ＨＡＲＱ−ＡＣＫサイズ等とも呼ばれる。
【００２２】
ＨＡＲＱ−ＡＣＫコードブックに含まれるビット数（サイズ）等は、準静的（semi-static）又は動的に（dynamic）決定されてもよい。準静的なＨＡＲＱ−ＡＣＫコードブックは、タイプ−１  ＨＡＲＱ−ＡＣＫコードブック、準静的コードブック等とも呼ばれる。動的なＨＡＲＱ−ＡＣＫコードブックは、タイプ−２  ＨＡＲＱ−ＡＣＫコードブック、動的コードブック等とも呼ばれる。
【００２３】
タイプ１  ＨＡＲＱ−ＡＣＫコードブック又はタイプ２  ＨＡＲＱ−ＡＣＫコードブックのいずれを用いるかは、上位レイヤパラメータ（例えば、pdsch-HARQ-ACK-Codebook）によりＵＥに設定されてもよい。
【００２４】
タイプ１  ＨＡＲＱ−ＡＣＫコードブックの場合、ＵＥは、所定範囲（例えば、上位レイヤパラメータに基づいて設定される範囲）において、ＰＤＳＣＨのスケジューリングの有無に関係なく、当該所定範囲に対応するＨＡＲＱ−ＡＣＫビットをフィードバックしてもよい。
【００２５】
当該所定範囲は、所定期間（例えば、候補となるＰＤＳＣＨ受信用の所定数の機会（occasion）のセット、又は、ＰＤＣＣＨの所定数のモニタリング機会（monitoring  occasion）ｍ）、ＵＥに設定又はアクティブ化されるＣＣの数、ＴＢの数（レイヤ数又はランク）、１ＴＢあたりのＣＢＧ数、空間バンドリングの適用の有無、の少なくとも一つに基づいて定められてもよい。当該所定範囲は、ＨＡＲＱ−ＡＣＫバンドリングウィンドウ、ＨＡＲＱ−ＡＣＫフィードバックウィンドウ、バンドリングウィンドウ、フィードバックウィンドウなどとも呼ばれる。
【００２６】
タイプ１  ＨＡＲＱ−ＡＣＫコードブックでは、所定範囲内であれば、ＵＥに対するＰＤＳＣＨのスケジューリングが無い場合でも、ＵＥは、ＮＡＣＫビットをフィードバックする。このため、タイプ１  ＨＡＲＱ−ＡＣＫコードブックを用いる場合、フィードバックするＨＡＲＱ−ＡＣＫビット数が増加することも想定される。
【００２７】
一方、タイプ２  ＨＡＲＱ−ＡＣＫコードブックの場合、ＵＥは、上記所定範囲において、スケジューリングされたＰＤＳＣＨに対するＨＡＲＱ−ＡＣＫビットをフィードバックしてもよい。
【００２８】
具体的には、ＵＥは、タイプ２  ＨＡＲＱ−ＡＣＫコードブックのビット数を、ＤＣＩ内の所定フィールド（例えば、ＤＬ割り当てインデックス（Downlink  Assignment  Indicator（Index）（ＤＡＩ））フィールド）に基づいて決定してもよい。ＤＡＩフィールドは、カウンタＤＡＩ（counter  DAI（ｃＤＡＩ））及びトータルＤＡＩ（total  DAI（ｔＤＡＩ））に分割（split）されてもよい。
【００２９】
カウンタＤＡＩは、所定期間内でスケジューリングされる下り送信（ＰＤＳＣＨ、データ、ＴＢ）のカウンタ値を示してもよい。例えば、当該所定期間内にデータをスケジューリングするＤＣＩ内のカウンタＤＡＩは、当該所定期間内で最初に周波数領域（例えば、ＣＣ）で、その後に時間領域でカウントされた数を示してもよい。
【００３０】
トータルＤＡＩは、所定期間内でスケジューリングされるデータの合計値（総数）を示してもよい。例えば、当該所定期間内の所定の時間ユニット（例えば、ＰＤＣＣＨモニタリング機会）でデータをスケジューリングするＤＣＩ内のトータルＤＡＩは、当該所定期間内で当該所定の時間ユニット（ポイント、タイミング等ともいう）までにスケジューリングされたデータの総数を示してもよい。
【００３１】
ＵＥは、以上のタイプ１又はタイプ２のＨＡＲＱ−ＡＣＫコードブックに基づいて決定（生成）される一以上のＨＡＲＱ−ＡＣＫビットを、上り制御チャネル（Physical  Uplink  Control  Channel（ＰＵＣＣＨ））及び上り共有チャネル（Physical  Uplink  Shared  Channel（ＰＵＳＣＨ））の少なくとも一方を用いて送信してもよい。
【００３２】
図１は、ＨＡＲＱ−ＡＣＫフィードバックの一例を示す図である。図１では、単一のＣＣの異なるスロットで複数のＰＤＳＣＨがスケジューリングされる一例が示される。例えば、図１では、ＵＥは、スロット＃０、＃２、＃４、＃５においてそれぞれＤＣＩ＃１、＃２、＃３、＃４によりスケジューリングされるＰＤＳＣＨ＃１、＃２、＃３、＃４を受信する。
【００３３】
また、図１において、ＤＣＩ＃１〜＃４の各々内のＰＤＳＣＨ−ＨＡＲＱフィードバックタイミング指示フィールド値は、同一のスロット＃７を示すものとする。一方、ＤＣＩ＃１〜＃４の各々内のＰＲＩフィールド値は、それぞれ、異なるＰＵＣＣＨリソース＃１〜＃４を示すものとする。
【００３４】
ＵＥは、同一のスロットでフィードバックするＮビットのＨＡＲＱ−ＡＣＫ用のＰＵＣＣＨリソースセットを決定し、直近のＤＣＩ内のＰＲＩフィールド値が示すＰＵＣＣＨリソースを用いてＮビットのＨＡＲＱ−ＡＣＫを送信してもよい。例えば、図１では、ＵＥは、ＤＣＩ＃１〜＃４のうち直近のＤＣＩ＃４内のＰＲＩフィールド値が示すＰＵＣＣＨリソース＃４を用いて、ＰＤＳＣＨ＃１〜＃４のＨＡＲＱ−ＡＣＫがマッピングされる（含まれる）ＨＡＲＱ−ＡＣＫコードブックを送信してもよい。
【００３５】
図１において、ＰＤＳＣＨ＃１〜＃４のＨＡＲＱ−ＡＣＫのフィードバックに用いられるＨＡＲＱ−ＡＣＫコードブックは、タイプ１又はタイプ２のいずれであってもよい。
【００３６】
また、ＨＡＲＱ−ＡＣＫコードブックでは、最初に（first）周波数領域にその後に（then）時間領域の順番で複数のＨＡＲＱ−ＡＣＫビットが含まれてもよい。例えば、最初にＣＣのインデックスの昇順に、その後に、ＤＣＩのモニタリング用の期間（duration）のインデックスの順番でＨＡＲＱ−ＡＣＫビットが含まれてもよい。当該期間は、モニタリング機会、ＰＤＣＣＨモニタリング機会等とも呼ばれる。
【００３７】
このように、図１では、同一のスロットを示すＰＤＳＣＨ−ＨＡＲＱフィードバックタイミング指示フィールド値を含む複数のＤＣＩによりそれぞれＰＤＳＣＨがスケジューリングされる場合、当該ＰＤＳＣＨに対するＨＡＲＱ−ＡＣＫが同一のＨＡＲＱ−ＡＣＫコードブックにマッピングされる。また、ＵＥは、当該ＨＡＲＱ−ＡＣＫコードブックを、当該複数のＤＣＩのうちの直近のＤＣＩ内のＰＲＩフィールド値が示す単一のＰＵＣＣＨリソースを用いてフィードバックする。
【００３８】
図１に示すように、同一のスロット（例えば、スロット＃７）内で単一のＰＵＣＣＨだけを送信可能とする場合、ＨＡＲＱ−ＡＣＫ報告を柔軟に（flexibly）に制御できなかったり、又は、遅延（latency）が生じたりする恐れがある。
【００３９】
例えば、図１では、ＰＤＳＣＨ＃１に対するＨＡＲＱ−ＡＣＫは、スロット＃７の最初のＰＵＣＣＨ＃１の代わりに、スロット＃７の最後のＰＵＣＣＨ＃４で送信されるため、フィードバックタイミングの遅延が生じる。この結果、高い信頼性及び低遅延が要求されるサービス（例えば、ＵＲＬＬＣ（Ultra  Reliable  and  Low  Latency  Communications）等）の要求条件を十分に満たすことができない恐れがある。
【００４０】
そこで、本発明者らは、単一のスロット内でＨＡＲＱ−ＡＣＫを有する一以上のＰＵＣＣＨを送信可能とすることにより、ＨＡＲＱ−ＡＣＫのフィードバックのより柔軟な制御、及び、フィードバック遅延の削減の少なくとも一つを実現することを着想した。
【００４１】
以下、本開示の一実施形態について、図面を参照して詳細に説明する。以下の各態様は、それぞれ単独で適用されてもよいし、組み合わせて適用されてもよい。
【００４２】
本実施形態に係るＵＥは、スロット内の時間ユニットを示す複数のＤＣＩを受信してもよい。ＵＥは、当該複数のＤＣＩによりそれぞれスケジューリングされる複数のＰＤＳＣＨに対する複数のＨＡＲＱ−ＡＣＫがマッピングされるコードブックを決定してもよい。また、ＵＥは、当該複数のＨＡＲＱ−ＡＣＫの送信に用いるＰＵＣＣＨリソース（上り制御チャネル用リソース）を決定してもよい。
【００４３】
ここで、「時間ユニット」とは、スロットよりも短い時間ユニットであり、例えば、１スロットを構成する１４シンボルよりも少ない所定数のシンボル（例えば、２、３、４又は７シンボル）で構成されてもよい。また、当該時間ユニットは、スロットを複数に分割して構成されてもよい。例えば、スロットを２つに分割する時間ユニットは、ハーフスロット等とも呼ばれ、７シンボルで構成されてもよい。また、スロットを４つに分割する時間ユニットは、ミニスロット等とも呼ばれ、３又は４シンボルで構成されてもよい。
【００４４】
また、「複数のＨＡＲＱ−ＡＣＫがマッピングされるコードブック（ＨＡＲＱ−ＡＣＫコードブック）」は、タイプ１  ＨＡＲＱ−ＡＣＫコードブック又はタイプ２  ＨＡＲＱ−ＡＣＫコードブックのいずれでもよい。以下では、一例として、タイプ２  ＨＡＲＱ−ＡＣＫコードブックを用いる場合を中心に説明する。
【００４５】
（第１の態様）
第１の態様では、ＵＥは、複数のＤＣＩが示す時間ユニットが同一であるか否かに基づいて、当該複数のＤＣＩによりそれぞれスケジューリングされる複数のＰＤＳＣＨに対する複数のＨＡＲＱ−ＡＣＫの送信に関する処理（例えば、ＨＡＲＱ−ＡＣＫコードブックの決定及びＰＵＣＣＨリソースの少なくとも一つの決定など）を制御する。
【００４６】
具体的には、ＵＥは、上記複数のＤＣＩが示す時間ユニットが同一である場合、上記複数のＨＡＲＱ−ＡＣＫを同一のＨＡＲＱ−ＡＣＫコードブックにマッピングしてもよい。また、ＵＥは、複数のＤＣＩが示す時間ユニットが同一である場合、上記複数のＤＣＩのうちで特定のＤＣＩ内の所定フィールド値（例えば、ＰＲＩフィールド値）が示すＰＵＣＣＨリソースを当該複数のＨＡＲＱ−ＡＣＫの送信に用いてもよい。
【００４７】
＜ＨＡＲＱ−ＡＣＫコードブックの決定＞
第１の態様において、ＨＡＲＱ−ＡＣＫコードブックの決定は、以下の少なくとも一つのステップを含んで構成されてもよい。
【００４８】
ステップ１：
ＵＥは、ＰＤＣＣＨ用のモニタリング機会を決定する。具体的には、ＵＥは、ＣＯＲＥＳＥＴ及びサーチスペースの少なくとも一つの構成（configuration）に基づいて決定してもよい。
【００４９】
ステップ２：
ＵＥは、各モニタリング機会においてＰＤＳＣＨのスケジューリング用のＤＣＩ（例えば、ＤＣＩフォーマット１＿０又は１＿１）を検出する。  ＵＥは、当該ＤＣＩに基づいて決定される時間ユニットに基づいて、当該ＤＣＩのグループ化を制御してもよい。当該時間ユニットは、ＤＣＩ内の所定フィールド（例えば、ＰＤＳＣＨ−ＨＡＲＱフィードバックタイミング指示フィールド）の値に基づいて決定されてもよい。
【００５０】
例えば、ＵＥは、同一の時間ユニットを示す（導出する）一以上のＤＣＩを同一のグループ（ＤＣＩグループ）に分類してもよい。また、ＵＥは、異なる時間ユニットを示す（導出する）一以上のＤＣＩを異なるＤＣＩグループに分類してもよい。
【００５１】
ステップ３：
ＵＥは、ＤＣＩグループ毎に、ＨＡＲＱ−ＡＣＫコードブックに対するＨＡＲＱ−ＡＣＫビットのマッピングを制御してもよい。具体的には、ＵＥは、同一のＤＣＩグループに属する（すなわち、同一の時間ユニットを示す）各ＤＣＩによりスケジューリングされるＰＤＳＣＨに対するＨＡＲＱ−ＡＣＫを同一のＨＡＲＱ−ＡＣＫコードブックにマッピングしてもよい。
【００５２】
また、ＵＥは、ＨＡＲＱ−ＡＣＫコードブックに含まれるＨＡＲＱ−ＡＣＫビットの数Ｎ（サイズ）を、トータルＤＡＩ又は上りＤＡＩ（Uplink  DAI（ＵＬ  ＤＡＩ））に基づいて決定してもよい。
【００５３】
＜ＰＵＣＣＨリソースの決定＞
第１の態様において、ＵＥは、同一のＤＣＩグループに属する一以上のＤＣＩのうちで、特定のＤＣＩ（例えば、直近のＤＣＩ）が示すＰＵＣＣＨリソースを用いて、当該一以上のＤＣＩによりスケジューリングされるＰＤＳＣＨに対するＨＡＲＱ−ＡＣＫ（又は、当該ＨＡＲＱ−ＡＣＫがマッピングされるＨＡＲＱ−ＡＣＫコードブック）を送信してもよい。
【００５４】
ＵＥは、ＮビットのＨＡＲＱ−ＡＣＫビット用のＰＵＣＣＨリソースセットを決定した後、同一のＤＣＩグループに属する特定のＤＣＩ内のＰＲＩフィールド値に基づいて、当該ＰＵＣＣＨリソースセット内のＰＵＣＣＨリソースを決定してもよい。当該特定のＤＣＩについては上述の通りである。
【００５５】
＜具体例＞
図２は、第１の態様に係るＨＡＲＱ−ＡＣＫフィードバックの一例を示す図である。図２では、複数のＣＣの異なるスロットで複数のＰＤＳＣＨがスケジューリングされる一例が示される。なお、図２では、ＨＡＲＱ−ＡＣＫのフィードバックに用いられる時間ユニット（ＨＡＲＱ−ＡＣＫフィードバックの粒度（granularity）等ともいう）が、ハーフスロットである一例を示すが、当該時間ユニットは、スロットよりも短ければどのような期間であってもよい。
【００５６】
図２では、ＵＥは、一以上のＰＤＳＣＨのスケジューリングにそれぞれ用いられる一以上のＤＣＩを、当該一以上のＤＣＩがそれぞれ示す時間ユニット（例えば、図２では、ハーフスロット）に基づいてグループ化する。例えば、図２では、スロット＃３の第１ハーフスロットを示す６個のＤＣＩがＤＣＩグループ＃１に分類される。一方、スロット＃３の第２ハーフスロットを示す３個のＤＣＩがＤＣＩグループ＃２に分類される。
【００５７】
また、ＵＥは、ＤＣＩグループ毎にＨＡＲＱ−ＡＣＫコードブックを生成する。例えば、図２では、ＤＣＩグループ＃１に属する６個のＤＣＩによりスケジューリングされる６個のＰＤＳＣＨに対する６個のＨＡＲＱ−ＡＣＫビットが同一のＨＡＲＱ−ＡＣＫコードブックにマッピングされる。一方、ＤＣＩグループ＃２に属する３個のＤＣＩによりスケジューリングされる３個のＰＤＳＣＨに対する３個のＨＡＲＱ−ＡＣＫビットが同一のＨＡＲＱ−ＡＣＫコードブックにマッピングされる。
【００５８】
なお、図２では、各ＤＣＩが単一のＴＢをスケジューリングする場合を想定するが、各ＤＣＩにより、一以上のＴＢ（例えば、２ＴＢ）がスケジューリングされてもよいし、一以上のＣＢＧがスケジューリングされてもよい。
【００５９】
図２に示すように、同一のＤＣＩグループに属する複数のＤＣＩは、同一のＰＵＣＣＨリソースを示してもよいし、又は、異なるＰＵＣＣＨリソースを示してもよい。例えば、図２では、ＤＣＩグループ＃１の中で、スロット＃０で検出される各ＤＣＩ内のＰＲＩフィールド値はＰＵＣＣＨリソース＃１を示し、スロット＃１で検出される各ＤＣＩ内のＰＲＩフィールド値はＰＵＣＣＨリソース＃２を示す。また、ＤＣＩグループ＃２の各ＤＣＩ内のＰＲＩフィールド値は、ＰＵＣＣＨリソース＃１を示す。
【００６０】
このように、同一のＤＣＩグループに属する各ＤＣＩのＰＲＩフィールド値に基づいて、同一のＰＵＣＣＨリソースが導出されるとは限らない。このため、ＵＥは、同一のＤＣＩグループに属する特定のＤＣＩのＰＲＩフィールド値に基づいて、当該ＤＣＩグループに対応するＨＡＲＱ−ＡＣＫコードブックの送信に用いるＰＵＣＣＨリソースを決定してもよい。当該特定のＤＣＩは、同一のＤＣＩグループに属する直近のＤＣＩであってもよい。
【００６１】
また、当該特定のＤＣＩは、同一のＤＣＩグループに属する特定のセルで検出される（又は、当該特定のセルのＰＤＳＣＨをスケジューリングする）ＤＣＩであってもよい。当該特定のセルは、例えば、プライマリセル（ＰＣｅｌｌ）又はプライマリセカンダリセル（ＰＳＣｅｌｌ）であってもよい。
【００６２】
例えば、図２では、ＵＥは、ＤＣＩグループ＃１に属する直近のＤＣＩ内のＰＲＩフィールド値に基づいて、ＤＣＩグループ＃１の各ＤＣＩが示す第１ハーフスロットから開始するＰＵＣＣＨリソース＃２を決定する。ＵＥは、当該ＰＵＣＣＨリソース＃２を用いてＤＣＩグループ＃１のＨＡＲＱ−ＡＣＫコードブック（又は、当該ＨＡＲＱ−ＡＣＫコードブックにマッピングされた６個のＨＡＲＱ−ＡＣＫビット）を送信してもよい。
【００６３】
また、ＵＥは、ＤＣＩグループ＃２に属する直近のＤＣＩ内のＰＲＩフィールド値に基づいて、ＤＣＩグループ＃２の各ＤＣＩが示す第２ハーフスロットから開始するＰＵＣＣＨリソース＃１を決定する。ＵＥは、当該ＰＵＣＣＨリソース＃１を用いてＤＣＩグループ＃２のＨＡＲＱ−ＡＣＫコードブック（又は、当該ＨＡＲＱ−ＡＣＫコードブックにマッピングされた３個のＨＡＲＱ−ＡＣＫビット）を送信してもよい。
【００６４】
図３は、第１の態様に係るＤＡＩとＨＡＲＱ−ＡＣＫコードブックとの関係の一例を示す図である。図３における前提条件は、図２と同様である。図３では、各ＤＣＩ内のＤＡＩフィールドの所定数のビット値によって示されるトータルＤＡＩ及びカウンタＤＡＩと、ＨＡＲＱ−ＡＣＫコードブックとの関係について詳細に説明する。
【００６５】
図３に示すように、トータルＤＡＩ及びカウンタＤＡＩの値は、ＤＣＩグループ毎に決定されてもよい。具体的には、トータルＤＡＩの値は、現在のＰＤＣＣＨモニタリング機会までで（up  to  current  PDCCH  monitoring  occasion）同一のＤＣＩグループに属するＤＣＩによりスケジューリングされるＰＤＳＣＨ（ＴＢ及びＣＢＧの少なくとも一方）の総数であってもよい。
【００６６】
また、カウンタＤＡＩの値は、現在のＰＤＣＣＨモニタリング機会までで同一のＤＣＩグループに属するＤＣＩによりスケジューリングされるＰＤＳＣＨ（ＴＢ及びＣＢＧの少なくとも一方）のカウンタ値であってもよい。同一のＰＤＣＣＨモニタリング機会において、カウンタＤＡＩの値は、ＰＤＳＣＨがスケジューリングされるＣＣ（又は当該ＰＤＳＣＨをスケジューリングするＣＣ）のインデックスの昇順にカウントされてもよい。また、カウンタＤＡＩの値は、ＴＢ及びＣＢＧの少なくとも一方毎にカウントされてもよい。
【００６７】
例えば、図３では、ＰＤＣＣＨモニタリング機会＃０まででＤＣＩグループ＃１に属するＤＣＩによりスケジューリングされるＰＤＳＣＨの総数は２である。このため、ＰＤＣＣＨモニタリング機会＃０で検出される２ＤＣＩ内のトータルＤＡＩの値は、それぞれ、２にセットされてもよい。また、当該２ＤＣＩ内のカウンタＤＡＩの値は、ＣＣインデックスの昇順にカウントされる。
【００６８】
また、ＰＤＣＣＨモニタリング機会＃０から＃１まででＤＣＩグループ＃１に属するＤＣＩによりスケジューリングされるＰＤＳＣＨの総数は３（＝２＋１）である。このため、ＰＤＣＣＨモニタリング機会＃１で検出される１ＤＣＩ内のトータルＤＡＩの値は、３にセットされてもよい。また、当該ＤＣＩ内のカウンタＤＡＩの値は、３（＝２＋１）である。
【００６９】
また、ＰＤＣＣＨモニタリング機会＃０から＃２まででＤＣＩグループ＃１に属するＤＣＩによりスケジューリングされるＰＤＳＣＨの総数は５（＝３＋２）である。ここで、トータルＤＡＩがｘビットである場合、２のｘ乗を超える値（例えば、ｘ＝２の場合、４を超える値）をセットできない。このため、ＰＤＣＣＨモニタリング機会＃２で検出される２ＤＣＩのトータルＤＡＩの値は、実際の総数（ここでは、６）を示す値（例えば、５を２のｘ乗によりモジュロした値「１」）にセットされてもよい。
【００７０】
同様に、カウンタＤＡＩがｘビットである場合、２のｘ乗を超える値（例えば、ｘ＝２の場合、４を超える値）をセットできない。このため、カウンタ値が２のｘ乗を超える場合、カウンタＤＡＩの値は、実際のカウンタ値（ここでは、５）を示す値（例えば、当該カウンタ値を２のｘ乗によりモジュロした値）にセットされてもよい。例えば、ＰＤＣＣＨモニタリング機会で検出される２ＤＣＩのカウンタＤＡＩの値は、それぞれ、４（＝３＋１）、１（＝５を４でモジュロした値）にセットされる。
【００７１】
また、ＰＤＣＣＨモニタリング機会＃０から＃３まででＤＣＩグループ＃１に属するＤＣＩによりスケジューリングされるＰＤＳＣＨの総数は６（＝５＋１）である。このため、ＰＤＣＣＨモニタリング機会＃３で検出されるＤＣＩ内のトータルＤＡＩの値は、実際の総数（ここでは、６）を示す値（例えば、２（＝６を４でモジュロした値））にセットされてもよい。同様に、当該ＤＣＩ内のカウンタＤＡＩの値は、実際のカウンタ値（ここでは、６）を示す値（例えば、２（＝６を４でモジュロした値））にセットされてもよい。
【００７２】
また、ＰＤＣＣＨモニタリング機会＃０から＃４まででＤＣＩグループ＃２に属するＤＣＩによりスケジューリングされるＰＤＳＣＨの総数は２である。このため、ＰＤＣＣＨモニタリング機会＃４で検出される２ＤＣＩ内のトータルＤＡＩの値は、それぞれ、２にセットされてもよい。また、当該２ＤＣＩ内のカウンタＤＡＩの値は、ＣＣインデックスの昇順にカウントされてもよい。
【００７３】
また、ＰＤＣＣＨモニタリング機会＃０から＃５まででＤＣＩグループ＃２に属するＤＣＩによりスケジューリングされるＰＤＳＣＨの総数は３（＝２＋１）である。このため、ＰＤＣＣＨモニタリング機会＃５で検出される１ＤＣＩ内のトータルＤＡＩの値は、３にセットされてもよい。また、当該ＤＣＩ内のカウンタＤＡＩの値は、３（＝２＋１）である。
【００７４】
図３に示すように、各ＤＣＩグループ用のＨＡＲＱ−ＡＣＫコードブックに対して、各ＤＣＩグループに対応するＨＡＲＱ−ＡＣＫビットをマッピングする順序は、カウンタＤＡＩに基づいて決定されてもよい。例えば、図３では、ＤＣＩグループ＃１、＃２用のＨＡＲＱ−ＡＣＫコードブックに対して、それぞれ、カウンタＤＡＩ値が示す値の昇順に当該カウンタＤＡＩ値に対応するＨＡＲＱ−ＡＣＫビットがマッピングされる。
【００７５】
以上の第１の態様によれば、複数のＤＣＩが示す時間ユニットが同一であるか否かに基づいて、当該複数のＤＣＩによりそれぞれスケジューリングされる複数のＰＤＳＣＨに対する複数のＨＡＲＱ−ＡＣＫの送信に関する処理（例えば、ＨＡＲＱ−ＡＣＫコードブックの決定及びＰＵＣＣＨリソースの少なくとも一つの決定など）を適切に制御できる。
【００７６】
（第２の態様）
第２の態様では、ＵＥは、複数のＤＣＩが示す時間ユニットが同一であるか否かと、前記複数のＤＣＩが示すＰＵＣＣＨリソースが同一であるか否かと、の双方に基づいて、当該複数のＤＣＩによりそれぞれスケジューリングされる複数のＰＤＳＣＨに対する複数のＨＡＲＱ−ＡＣＫの送信に関する処理（例えば、ＨＡＲＱ−ＡＣＫコードブックの決定及びＰＵＣＣＨリソースの少なくとも一つの決定など）を制御する。第２の態様では、第１の態様との相違点を中心に説明する。
【００７７】
具体的には、ＵＥは、上記複数のＤＣＩが示す時間ユニットが同一であり、かつ、上記複数のＤＣＩ内の所定フィールド値（例えば、ＰＲＩフィールド値）が同一である場合、上記複数のＨＡＲＱ−ＡＣＫを同一のＨＡＲＱ−ＡＣＫコードブックにマッピングしてもよい。
【００７８】
また、ＵＥは、複数のＤＣＩが示す時間ユニットが同一であり、かつ、上記複数のＤＣＩ内の所定フィールド値（例えば、ＰＲＩフィールド値）が同一である場合、上記複数のＤＣＩのうちで任意のＤＣＩ内の所定フィールド値（例えば、ＰＲＩフィールド値）が示すＰＵＣＣＨリソースを当該複数のＨＡＲＱ−ＡＣＫの送信に用いてもよい。
【００７９】
＜ＨＡＲＱ−ＡＣＫコードブックの決定＞
第２の態様において、ＨＡＲＱ−ＡＣＫコードブックの決定は、以下の少なくとも一つのステップを含んで構成されてもよい。
【００８０】
ステップ１：
ＵＥは、ＰＤＣＣＨ用のモニタリング機会を決定する。具体的には、ＵＥは、ＣＯＲＥＳＥＴ及びサーチスペースの少なくとも一つの構成（configuration）に基づいて決定してもよい。
【００８１】
ステップ２：
ＵＥは、各モニタリング機会においてＰＤＳＣＨのスケジューリング用のＤＣＩ（例えば、ＤＣＩフォーマット１＿０又は１＿１）を検出する。ＵＥは、当該ＤＣＩに基づいて決定される時間ユニット及びＰＵＣＣＨリソースに基づいて、当該ＤＣＩのグループ化を制御してもよい。当該時間ユニットは、ＤＣＩ内の所定フィールド（例えば、ＰＤＳＣＨ−ＨＡＲＱフィードバックタイミング指示フィールド）の値に基づいて決定されてもよい。当該ＰＵＣＣＨリソースは、ＤＣＩ内の所定フィールド（例えば、ＰＲＩフィールド）の値に基づいて決定されてもよい。
【００８２】
例えば、ＵＥは、同一の時間ユニット及びＰＵＣＣＨリソースを示す（導出する）一以上のＤＣＩを同一のグループ（ＤＣＩグループ）に分類してもよい。また、ＵＥは、異なる時間ユニット又はＰＵＣＣＨリソースを示す（導出する）一以上のＤＣＩを異なるＤＣＩグループに分類してもよい。
【００８３】
ステップ３：
ＵＥは、ＤＣＩグループ毎に、ＨＡＲＱ−ＡＣＫコードブックに対するＨＡＲＱ−ＡＣＫビットのマッピングを制御してもよい。具体的には、ＵＥは、同一のＤＣＩグループに属する（すなわち、同一の時間ユニット及びＰＵＣＣＨリソースを示す）各ＤＣＩによりスケジューリングされるＰＤＳＣＨに対するＨＡＲＱ−ＡＣＫを同一のＨＡＲＱ−ＡＣＫコードブックにマッピングしてもよい。
【００８４】
また、ＵＥは、ＨＡＲＱ−ＡＣＫコードブックに含まれるＨＡＲＱ−ＡＣＫビットの数Ｎ（サイズ）を、トータルＤＡＩ又は上りＤＡＩ（Uplink  DAI（ＵＬ  ＤＡＩ））に基づいて決定してもよい。
【００８５】
＜ＰＵＣＣＨリソースの決定＞
第２の態様において、ＵＥは、同一のＤＣＩグループに属する一以上のＤＣＩのうちで、任意のＤＣＩが示すＰＵＣＣＨリソースを用いて、当該一以上のＤＣＩによりスケジューリングされるＰＤＳＣＨに対するＨＡＲＱ−ＡＣＫ（又は、当該ＨＡＲＱ−ＡＣＫがマッピングされるＨＡＲＱ−ＡＣＫコードブック）を送信してもよい。
【００８６】
ＵＥは、ＮビットのＨＡＲＱ−ＡＣＫビット用のＰＵＣＣＨリソースセットを決定した後、同一のＤＣＩグループに属する任意のＤＣＩ内のＰＲＩフィールド値に基づいて、当該ＰＵＣＣＨリソースセット内のＰＵＣＣＨリソースを決定してもよい。
【００８７】
＜具体例＞
図４は、第２の態様に係るＨＡＲＱ−ＡＣＫフィードバックの一例を示す図である。図４では、複数のＣＣの異なるスロットで複数のＰＤＳＣＨがスケジューリングされる一例が示される。なお、図４では、ＨＡＲＱ−ＡＣＫのフィードバックに用いられる時間ユニット（ＨＡＲＱ−ＡＣＫフィードバックの粒度（granularity）等ともいう）が、ハーフスロットである一例を示すが、当該時間ユニットは、スロットよりも短ければどのような期間であってもよい。
【００８８】
図４では、ＵＥは、一以上のＰＤＳＣＨのスケジューリングにそれぞれ用いられる一以上のＤＣＩを、当該一以上のＤＣＩがそれぞれ示す時間ユニット（例えば、図４では、ハーフスロット）及びＰＵＣＣＨリソースに基づいてグループ化する。
【００８９】
例えば、図４では、スロット＃３の第１ハーフスロットを示し、ＰＵＣＣＨリソース＃１を示す３個のＤＣＩがＤＣＩグループ＃１に分類される。スロット＃３の第１ハーフスロットを示し、ＰＵＣＣＨリソース＃２を示す３個のＤＣＩがＤＣＩグループ＃２に分類される。スロット＃３の第２ハーフスロットを示し、ＰＵＣＣＨリソース＃１を示す３個のＤＣＩがＤＣＩグループ＃３に分類される。
【００９０】
また、ＵＥは、ＤＣＩグループ（すなわち、同一の時間ユニット及びＰＵＣＣＨリソースを示す一以上のＤＣＩ）毎にＨＡＲＱ−ＡＣＫコードブックを生成してもよい。例えば、図４では、各ＤＣＩグループに属する３個のＤＣＩによりスケジューリングされる３個のＰＤＳＣＨに対する３個のＨＡＲＱ−ＡＣＫビットが、各ＤＣＩグループ用のＨＡＲＱ−ＡＣＫコードブックにマッピングされる。
【００９１】
図４に示すように、同一のＤＣＩグループに属する複数のＤＣＩは、同一のＰＵＣＣＨリソースを示す。このため、ＵＥは、同一のＤＣＩグループに属するどのＤＣＩのＰＲＩフィールド値に基づいて、当該ＤＣＩグループに対応するＨＡＲＱ−ＡＣＫコードブックの送信に用いるＰＵＣＣＨリソースを決定してもよい。
【００９２】
例えば、図４では、ＵＥは、ＤＣＩグループ＃１に属するいずれかのＤＣＩ内のＰＲＩフィールド値に基づいて、ＤＣＩグループ＃１の各ＤＣＩが示す第１ハーフスロットから開始するＰＵＣＣＨリソース＃１を決定する。ＵＥは、当該ＰＵＣＣＨリソース＃１を用いてＤＣＩグループ＃１のＨＡＲＱ−ＡＣＫコードブック（又は、当該ＨＡＲＱ−ＡＣＫコードブックにマッピングされた３個のＨＡＲＱ−ＡＣＫビット）を送信してもよい。
【００９３】
また、ＵＥは、ＤＣＩグループ＃２に属するいずれかＤＣＩ内のＰＲＩフィールド値に基づいて、ＤＣＩグループ＃２の各ＤＣＩが示す第１ハーフスロットから開始するＰＵＣＣＨリソース＃２を決定する。ＵＥは、当該ＰＵＣＣＨリソース＃２を用いてＤＣＩグループ＃２のＨＡＲＱ−ＡＣＫコードブック（又は、当該ＨＡＲＱ−ＡＣＫコードブックにマッピングされた３個のＨＡＲＱ−ＡＣＫビット）を送信してもよい。
【００９４】
同様に、ＵＥは、ＤＣＩグループ＃３に属するいずれかＤＣＩ内のＰＲＩフィールド値に基づいて、ＤＣＩグループ＃３の各ＤＣＩが示す第２ハーフスロットから開始するＰＵＣＣＨリソース＃１を決定する。ＵＥは、当該ＰＵＣＣＨリソース＃１を用いてＤＣＩグループ＃３のＨＡＲＱ−ＡＣＫコードブック（又は、当該ＨＡＲＱ−ＡＣＫコードブックにマッピングされた３個のＨＡＲＱ−ＡＣＫビット）を送信してもよい。
【００９５】
図５は、第２の態様に係るＤＡＩとＨＡＲＱ−ＡＣＫコードブックとの関係の一例を示す図である。図５における前提条件は、図４と同様である。図５では、各ＤＣＩ内のＤＡＩフィールドの所定数のビット値によって示されるトータルＤＡＩ及びカウンタＤＡＩと、ＨＡＲＱ−ＡＣＫコードブックとの関係について詳細に説明する。
【００９６】
図５に示すように、トータルＤＡＩ及びカウンタＤＡＩの値は、ＤＣＩグループ毎に決定されてもよい。具体的には、トータルＤＡＩの値は、現在のＰＤＣＣＨモニタリング機会までで（up  to  current  PDCCH  monitoring  occasion）同一のＤＣＩグループに属するＤＣＩによりスケジューリングされるＰＤＳＣＨ（ＴＢ及びＣＢＧの少なくとも一方）の総数であってもよい。
【００９７】
また、カウンタＤＡＩの値は、現在のＰＤＣＣＨモニタリング機会までで同一のＤＣＩグループに属するＤＣＩによりスケジューリングされるＰＤＳＣＨ（ＴＢ及びＣＢＧの少なくとも一方）のカウンタ値であってもよい。同一のＰＤＣＣＨモニタリング機会において、カウンタＤＡＩの値は、ＰＤＳＣＨがスケジューリングされるＣＣ（又は当該ＰＤＳＣＨをスケジューリングするＣＣ）のインデックスの昇順にカウントされてもよい。また、カウンタＤＡＩの値は、ＴＢ及びＣＢＧの少なくとも一方毎にカウントされてもよい。
【００９８】
例えば、図５では、ＰＤＣＣＨモニタリング機会＃０まででＤＣＩグループ＃１に属するＤＣＩによりスケジューリングされるＰＤＳＣＨの総数は２である。このため、ＰＤＣＣＨモニタリング機会＃０で検出される２ＤＣＩ内のトータルＤＡＩの値は、それぞれ、２にセットされてもよい。また、当該２ＤＣＩ内のカウンタＤＡＩの値は、ＣＣインデックスの昇順にカウントされる。
【００９９】
また、ＰＤＣＣＨモニタリング機会＃０から＃１まででＤＣＩグループ＃１に属するＤＣＩによりスケジューリングされるＰＤＳＣＨの総数は３（＝２＋１）である。このため、ＰＤＣＣＨモニタリング機会＃１で検出される１ＤＣＩ内のトータルＤＡＩの値は、３にセットされてもよい。また、当該ＤＣＩ内のカウンタＤＡＩの値は、３（＝２＋１）である。
【０１００】
また、図５では、ＰＤＣＣＨモニタリング機会＃０から＃２まででＤＣＩグループ＃２に属するＤＣＩによりスケジューリングされるＰＤＳＣＨの総数は２である。このため、ＰＤＣＣＨモニタリング機会＃２で検出される２ＤＣＩ内のトータルＤＡＩの値は、それぞれ、２にセットされてもよい。また、当該２ＤＣＩ内のカウンタＤＡＩの値は、ＣＣインデックスの昇順にカウントされる。
【０１０１】
また、ＰＤＣＣＨモニタリング機会＃０から＃３まででＤＣＩグループ＃２に属するＤＣＩによりスケジューリングされるＰＤＳＣＨの総数は３（＝２＋１）である。このため、ＰＤＣＣＨモニタリング機会＃３で検出される１ＤＣＩ内のトータルＤＡＩの値は、３にセットされてもよい。また、当該ＤＣＩ内のカウンタＤＡＩの値は、３（＝２＋１）である。
【０１０２】
同様に、ＰＤＣＣＨモニタリング機会＃４及び＃５で検出されるＤＣＩグループ＃３の各ＤＣＩのトータルＤＡＩ及びカウンタＤＡＩの値がセットされてもよい。
【０１０３】
なお、各ＤＣＩグループ用のＨＡＲＱ−ＡＣＫコードブックに対して、各ＤＣＩグループに対応するＨＡＲＱ−ＡＣＫビットをマッピングする順序は、第１の態様と同様である。
【０１０４】
以上の第２の態様によれば、複数のＤＣＩが示す時間ユニットが同一であるか否かと当該複数のＤＣＩが示すＰＵＣＣＨリソースが同一であるか否かと、の双方に基づいて、当該複数のＤＣＩによりそれぞれスケジューリングされる複数のＰＤＳＣＨに対する複数のＨＡＲＱ−ＡＣＫの送信に関する処理（例えば、ＨＡＲＱ−ＡＣＫコードブックの決定及びＰＵＣＣＨリソースの少なくとも一つの決定など）を適切に制御できる。
【０１０５】
（第３の態様）
第３の態様では、スロット内の時間ユニットにおけるＰＵＣＣＨリソースの設定について説明する。ＵＥは、ＰＵＣＣＨリソースは当該時間ユニットの境界を跨って設定されることを想定しなくともよいし（第１の例）、又は、想定してもよい（第２の例）。
【０１０６】
＜第１の例＞
第１の例において、各ＰＵＣＣＨリソースは、スロットの時間ユニット間の境界を跨ってＵＥに設定（configure）されない。
【０１０７】
第１の例において、同一の時間ユニットにおいてＨＡＲＱ−ＡＣＫの送信に用いる複数のＰＵＣＣＨリソースの重複（overlap）は、許容されなくともよいし、又は、許容されてもよい。
【０１０８】
同一の時間ユニットにおける当該複数のＰＵＣＣＨリソースの重複が許容される場合、ＵＥは、所定のルールに従って、当該複数のＰＵＣＣＨリソースの一つを選択してもよい。この場合、ＵＥは、当該複数のＰＵＣＣＨリソースそれぞれで送信されるＨＡＲＱ−ＡＣＫを、単一のＨＡＲＱ−ＡＣＫコードブックに再マッピングして、当該単一のＨＡＲＱ−ＡＣＫコードブックを、選択されたＰＵＣＣＨリソースを用いて送信してもよい。
【０１０９】
当該所定のルールにおいて、例えば、ＵＥは、当該複数のＰＵＣＣＨリソースをそれぞれ示す複数のＤＣＩのうちで、ＵＥが直近に検出したＤＣＩが示すＰＵＣＣＨリソースを選択してもよい。或いは、ＵＥは、当該複数のＰＵＣＣＨリソースをそれぞれ示す複数のＤＣＩのうちで、ＵＥが特定のセル（例えば、プライマリセル又はプライマリセカンダリセル）で検出したＤＣＩ又は当該特定のセルのＰＤＳＣＨをスケジューリングするＤＣＩが示すＰＵＣＣＨリソースを選択してもよい。
【０１１０】
或いは、同一の時間ユニットにおける当該複数のＰＵＣＣＨリソースの重複が許容される場合、ＵＥは、当該複数のＰＵＣＣＨリソースの少なくとも２つを同時送信してもよい。
【０１１１】
＜第２の例＞
第２の例において、各ＰＵＣＣＨリソースは、スロットの時間ユニット間の境界を跨ってＵＥに設定（configure）されてもよい。
【０１１２】
第２の例において、同一の時間ユニット及び隣接する時間ユニットの少なくとも一つ（隣接する一以上のユニット）においてＨＡＲＱ−ＡＣＫの送信に用いる複数のＰＵＣＣＨリソースの重複（overlap）は、許容されなくともよいし、又は、許容されてもよい。
【０１１３】
隣接する一以上のユニットにおける当該複数のＰＵＣＣＨリソースの重複が許容される場合、ＵＥは、所定のルールに従って、当該複数のＰＵＣＣＨリソースの一つを選択してもよい。この場合、ＵＥは、当該複数のＰＵＣＣＨリソースそれぞれで送信されるＨＡＲＱ−ＡＣＫを、単一のＨＡＲＱ−ＡＣＫコードブックに再マッピングして、当該単一のＨＡＲＱ−ＡＣＫコードブックを、選択されたＰＵＣＣＨリソースを用いて送信してもよい。
【０１１４】
当該所定のルールにおいて、例えば、ＵＥは、当該複数のＰＵＣＣＨリソースをそれぞれ示す複数のＤＣＩのうちで、ＵＥが直近に検出したＤＣＩが示すＰＵＣＣＨリソースを選択してもよい。或いは、ＵＥは、当該複数のＰＵＣＣＨリソースをそれぞれ示す複数のＤＣＩのうちで、ＵＥが特定のセル（例えば、プライマリセル又はプライマリセカンダリセル）で検出したＤＣＩ又は当該特定のセルのＰＤＳＣＨをスケジューリングするＤＣＩが示すＰＵＣＣＨリソースを選択してもよい。
【０１１５】
或いは、隣接する一以上のユニットにおける当該複数のＰＵＣＣＨリソースの重複が許容される場合、ＵＥは、当該複数のＰＵＣＣＨリソースの少なくとも２つを同時送信してもよい。
【０１１６】
第３の態様では、ＵＥは、スロット内の時間ユニット間の境界を跨らずに又は跨って設定されるＰＵＣＣＨリソースを用いたＨＡＲＱ−ＡＣＫの送信を適切に制御できる。
【０１１７】
（その他の態様）
スロット内の時間ユニットの構成（configuration）は、ＵＥにシグナリングされてもよいし、予め定められてもよい。
【０１１８】
例えば、時間ユニットの構成（例えば、２シンボル、３又は４シンボル、７シンボル、ハーフスロット等）は、仕様で固定的に定められてもよい。
【０１１９】
或いは、当該時間ユニットの構成は、上位レイヤパラメータにより設定されてもよい。
【０１２０】
或いは、当該時間ユニットは、ＤＣＩ、又は、ＤＣＩ又はデータの巡回冗長検査（ＣＲＣ：Cyclic  Redundancy  Check）のスクランブル（ＣＲＣスクランブル）に用いられる無線ネットワーク一時識別子（ＲＮＴＩ：Radio  Network  Temporary  Identifier）によって指定されてもよい。
【０１２１】
また、一以上のＰＵＣＣＨリソースセットは、スロット内の時間ユニット毎にＵＥに設定されてもよいし、スロット毎にＵＥに設定されてもよい。時間ユニット毎に設定される場合、当該ＰＵＣＣＨリソースセットは、時間ユニット毎に異なってもよい。スロット毎に設定される場合、当該ＰＵＣＣＨリソースセットは、スロット内の時間ユニット間で共通であってもよい。
【０１２２】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１２３】
図６は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１２４】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビティ（ＥＮ−ＤＣ：E-UTRA-NR  Dual  Connectivity）、ＮＲとＬＴＥとのデュアルコネクティビティ（ＮＥ−ＤＣ：NR-E-UTRA  Dual  Connectivity）などを含んでもよい。
【０１２５】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１２６】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１２７】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１２８】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０１２９】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１３０】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１３１】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１３２】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１３３】
ユーザ端末２０は、ＬＴＥ、ＬＴＥ−Ａ、５Ｇなどの通信方式の少なくとも１つに対応した端末であってもよい。
【０１３４】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１３５】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１３６】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１３７】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１３８】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１３９】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１４０】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１４１】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１４２】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１４３】
ＰＵＣＣＨによって、チャネル状態情報（ＣＳＩ：Channel  State  Information）、送達確認情報（例えば、ＨＡＲＱ−ＡＣＫ（Hybrid  Automatic  Repeat  reQuest  ACKnowledgement）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１４４】
なお、本開示において下りリンク、上りリンクなどは「リンク」を付けずに表現されてもよい。また、各種チャネルの先頭に「物理（Physical）」を付けずに表現されてもよい。
【０１４５】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１４６】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１４７】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１４８】
（基地局）
図７は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１４９】
なお、本例では、本実施形態における特徴部分の機能ブロックを主に示しており、基地局１０は、無線通信に必要な他の機能ブロックも有すると想定されてもよい。以下で説明する各部の処理の一部は、省略されてもよい。
【０１５０】
制御部１１０は、基地局１０全体の制御を実施する。制御部１１０は、本開示に係る技術分野での共通認識に基づいて説明されるコントローラ、制御回路などから構成することができる。
【０１５１】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１５２】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１５３】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１５４】
送受信アンテナ１３０は、本開示に係る技術分野での共通認識に基づいて説明されるアンテナ、例えばアレイアンテナなどから構成することができる。
【０１５５】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１５６】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１５７】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１５８】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１５９】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１６０】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１６１】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１６２】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１６３】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１６４】
なお、本開示における基地局１０の送信部及び受信部は、送受信部１２０、送受信アンテナ１３０及び伝送路インターフェース１４０の少なくとも１つによって構成されてもよい。
【０１６５】
なお、送受信部１２０は、上り信号（例えば、上り制御チャネル、上り共有チャネル、ＤＭＲＳなど）を受信する。また、送受信部１２０は、下り信号（例えば、下り制御チャネル、下り共有チャネル、ＤＭＲＳ、下り制御情報、上位レイヤパラメータなど）を送信する。
【０１６６】
具体的には、送受信部１２０は、スロット内の時間ユニットを示す複数の下り制御情報を送信してもよい。また、送受信部１２０は、前記複数の下り制御情報によりそれぞれスケジューリングされる複数の下り共有チャネルを送信してもよい。また、送受信部１２０は、当該複数の下り共有チャネルに対する複数の送達確認情報を受信してもよい。また、送受信部１２０は、一以上の上り制御チャネル用リソースの構成情報を送信してもよい。
【０１６７】
制御部１１０は、当該複数の送達確認情報がマッピングされるコードブックと、前記複数の送達確認情報の受信に用いる上り制御チャネル用リソースと、の少なくとも一つを決定してもよい。
【０１６８】
制御部１１０は、前記複数の下り制御情報が示す前記時間ユニットが同一である場合、前記複数の送達確認情報を同一のコードブックにマッピングされると想定してもよい（第１の態様）。
【０１６９】
制御部１１０は、前記複数の下り制御情報が示す前記時間ユニットが同一である場合、前記複数の下り制御情報のうちで直近の下り制御情報内の所定フィールド値が示す上り制御チャネル用リソースを、前記複数の送達確認情報の受信に用いてもよい（第１の態様）。
【０１７０】
制御部１１０は、前記複数の下り制御情報が示す前記時間ユニットが同一であり、かつ、前記複数の下り制御情報内の所定フィールド値が同一である場合、前記複数の送達確認情報を同一のコードブックにマッピングされると想定してもよい（第２の態様）。
【０１７１】
制御部１１０は、前記複数の下り制御情報が示す前記時間ユニットが同一であり、かつ、前記複数の下り制御情報内の所定フィールド値が同一である場合、該所定フィールド値が示す上り制御チャネル用リソースを、前記複数の送達確認情報の受信に用いてもよい（第２の態様）。
【０１７２】
制御部１１０は、前記上り制御用チャネルリソースは、前記スロット内の前記時間ユニットの境界を跨って設定されると想定してもよい、又は、想定しなくともよい。
【０１７３】
（ユーザ端末）
図８は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１７４】
なお、本例では、本実施形態における特徴部分の機能ブロックを主に示しており、ユーザ端末２０は、無線通信に必要な他の機能ブロックも有すると想定されてもよい。以下で説明する各部の処理の一部は、省略されてもよい。
【０１７５】
制御部２１０は、ユーザ端末２０全体の制御を実施する。制御部２１０は、本開示に係る技術分野での共通認識に基づいて説明されるコントローラ、制御回路などから構成することができる。
【０１７６】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１７７】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１７８】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１７９】
送受信アンテナ２３０は、本開示に係る技術分野での共通認識に基づいて説明されるアンテナ、例えばアレイアンテナなどから構成することができる。
【０１８０】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１８１】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１８２】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１８３】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１８４】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１８５】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１８６】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１８７】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１８８】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１８９】
なお、本開示におけるユーザ端末２０の送信部及び受信部は、送受信部２２０、送受信アンテナ２３０及び伝送路インターフェース２４０の少なくとも１つによって構成されてもよい。
【０１９０】
なお、送受信部２２０は、スロット内の時間ユニットを示す複数の下り制御情報を受信してもよい。また、送受信部１２０は、前記複数の下り制御情報によりそれぞれスケジューリングされる複数の下り共有チャネルを受信してもよい。また、送受信部１２０は、当該複数の下り共有チャネルに対する複数の送達確認情報を送信してもよい。また、送受信部１２０は、一以上の上り制御チャネル用リソースの構成情報を受信してもよい。
【０１９１】
制御部２１０は、当該複数の送達確認情報がマッピングされるコードブックと、前記複数の送達確認情報の送信に用いる上り制御チャネル用リソースと、の少なくとも一つを決定してもよい。
【０１９２】
制御部２１０は、前記複数の下り制御情報が示す前記時間ユニットが同一である場合、前記複数の送達確認情報を同一のコードブックにマッピングしてもよい（第１の態様）。
【０１９３】
制御部２１０は、前記複数の下り制御情報が示す前記時間ユニットが同一である場合、前記複数の下り制御情報のうちで直近の下り制御情報内の所定フィールド値が示す上り制御チャネル用リソースを、前記複数の送達確認情報の送信に用いてもよい（第１の態様）。
【０１９４】
制御部２１０は、前記複数の下り制御情報が示す前記時間ユニットが同一であり、かつ、前記複数の下り制御情報内の所定フィールド値が同一である場合、前記複数の送達確認情報を同一のコードブックにマッピングしてもよい（第２の態様）。
【０１９５】
制御部２１０は、前記複数の下り制御情報が示す前記時間ユニットが同一であり、かつ、前記複数の下り制御情報内の所定フィールド値が同一である場合、該所定フィールド値が示す上り制御チャネル用リソースを、前記複数の送達確認情報の送信に用いてもよい（第２の態様）。
【０１９６】
制御部２１０は、前記上り制御用チャネルリソースは、前記スロット内の前記時間ユニットの境界を跨って設定されると想定してもよい、又は、想定しなくともよい（第３の態様）。
【０１９７】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１９８】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１９９】
例えば、本開示の一実施形態における基地局、ユーザ端末などは、本開示の無線通信方法の処理を行うコンピュータとして機能してもよい。図９は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２００】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２０１】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２０２】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２０３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０２０４】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２０５】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２０６】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２０７】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２０８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０９】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２１０】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２１１】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２１２】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２１３】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２１４】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２１５】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２１６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２１７】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１８】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２１９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２２０】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２２１】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２２２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２２３】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２２４】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２２５】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２２６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２２７】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２２８】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２２９】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２３０】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２３１】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２３２】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２３３】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２３４】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２３５】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２３６】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２３７】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２３８】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２３９】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２４０】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２４１】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２４２】
本開示において使用する「システム」及び「ネットワーク」という用語は、互換的に使用され得る。「ネットワーク」は、ネットワークに含まれる装置（例えば、基地局）のことを意味してもよい。
【０２４３】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２４４】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２４５】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２４６】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２４７】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４８】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２４９】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２５０】
同様に、本開示におけるユーザ端末は、基地局で読み替えてもよい。この場合、上述のユーザ端末２０が有する機能を基地局１０が有する構成としてもよい。
【０２５１】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２５２】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２５３】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２５４】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２５５】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２５６】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２５７】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２５８】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５９】
また、「判断（決定）」は、「想定する（assuming）」、「期待する（expecting）」、「みなす（considering）」などで読み替えられてもよい。
【０２６０】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２６１】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２６２】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２６３】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２６４】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２６５】
本開示において、例えば、英語でのa,  an及びtheのように、翻訳によって冠詞が追加された場合、本開示は、これらの冠詞の後に続く名詞が複数形であることを含んでもよい。
【０２６６】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020095457.tif 000003
【図２】
2020095457.tif 000004
【図３】
2020095457.tif 000005
【図４】
2020095457.tif 000006
【図５】
2020095457.tif 000007
【図６】
2020095457.tif 000008
【図７】
2020095457.tif 000009
【図８】
2020095457.tif 000010
【図９】
2020095457.tif 000011
【国際調査報告】
2020095457.tif 000012
2020095457.tif 000013
2020095457.tif 000014
2020095457.tif 000015